(57)【要約】  【課題】  通路に木の枝や瓦礫、窓ガラスの破片などが散乱していたり火災による煙や粉塵が舞っていても、罹災者を避難場所の方向に正確に誘導できるようにする。  【解決手段】  直進性の強い電波２０を発生して特定の方向に送信する発信機１０と、電波の受信に指向性をもち発信機１０からの電波２０を受信するとブザーが鳴る携帯受信機３０とから避難誘導システムを構成し、発信機１０を、その電波２０の送信方向が避難方向と反対方向になるよう設置する。【選択図】  図１
2007041879.tif 000002
【特許請求の範囲】
【請求項１】
直進性の強い電波を避難方向と反対方向に向けて送信するよう所定箇所に設置した発信機と、電波の受信に指向性をもち前記発信機からの電波を受信すると視覚、聴覚又は触覚等に訴えて報知する報知手段をもつ携帯受信機とから成ることを特徴とする避難誘導システム。
【請求項２】
請求項１に記載の避難誘導システムにおいて、
前記発信機を避難場所標識手段に設置したことを特徴とする避難誘導システム。
【請求項３】
請求項１又は２に記載の避難誘導システムにおいて、
前記携帯受信機は、異なった方向に指向性をもつ複数の受信口をもち、該複数の受信口の内の特定の受信口で前記電波を受信すると前記報知手段が該特定の受信口で受信したことを報知することを特徴とする避難誘導システム。
【請求項４】
請求項１、２又は３に記載の避難誘導システムにおいて、
交差点に集まる複数の通路に前記発信機を設置する際、該複数の通路のうち、避難方向に沿った通路には該避難方向と反対方向から前記交差点内に届くよう前記電波を送信するように前記発信機を配置し、残りの通路には前記交差点から遠ざかる方向に向けて前記電波を送信するように前記発信機を配置することを特徴とする避難誘導システム。
【請求項５】
請求項４に記載の避難誘導システムにおいて、
前記避難方向に沿った通路が前記交差点を介して前記残りの通路の内の１つの通路と直線状に直通しているときは、前記避難方向に沿った通路に配置した前記発信機の送信する電波が前記直通する通路まで届くようにしたことを特徴とする避難誘導システム。
【発明の詳細な説明】
【技術分野】
【０００１】
本発明は、地震や台風などの災害発生時等に罹災者に避難場所の方向を誘導する避難誘導システムに関する。
【従来の技術】
【０００２】
地震や台風などの災害発生時に、火災や崩壊、浸水などで住居を離れ安全な避難場所を求めて逃げる罹災者に対して、避難場所や避難方向などを示す避難場所標識が設置されている。近年の避難場所標識は、見やすく、いろいろな情報も表示されており、高齢者や視覚障害者に配慮したものになっているものがある（例えば、特許文献１，２参照）。また、視覚障害者用に避難場所まで通路に点字ブロックを付けるような誘導がなされているものもある（例えば、特許文献３参照）。
【特許文献１】特開２００２−２１６２５３号公報
【特許文献２】特開２００５−０１６３０２号公報
【特許文献３】特開２００２−２３０６８４号公報
【発明の開示】
【発明が解決しようとする課題】
【０００３】
ところが、地震や台風などの災害発生時には、通路には木の枝や瓦礫、窓ガラスの破片などが散乱している場合が多く、視覚障害者が点字ブロックを認識できなかったり、火災による煙や粉塵が舞っていて避難場所標識が不鮮明であったりする。
【０００４】
本発明の目的は、上記のような災害発生時の状況においても避難場所の方向がわかり、障害者を含む罹災者を効果的に避難場所に誘導できるようにし、さらに平時は避難場所標識を設置していない場所や屋外に限らず屋内においても簡易に構築することができるようにした避難誘導システムを提供することである。
【課題を解決するための手段】
【０００５】
前記課題を達成するために、請求項１にかかる発明の避難誘導システムは、直進性の強い電波を避難方向と反対方向に向けて送信するよう所定箇所に設置した発信機と、電波の受信に指向性をもち前記発信機からの電波を受信すると視覚、聴覚又は触覚等に訴えて報知する報知手段をもつ携帯受信機とから成ることを特徴とする。
【０００６】
請求項２にかかる発明は、請求項１に記載の避難誘導システムにおいて、前記発信機を避難場所標識手段に設置したことを特徴とする。
【０００７】
請求項３にかかる発明は、請求項１又は２に記載の避難誘導システムにおいて、前記携帯受信機は、異なった方向に指向性をもつ複数の受信口をもち、該複数の受信口の内の特定の受信口で前記電波を受信すると前記報知手段が該特定の受信口で受信したことを報知することを特徴とする。
【０００８】
請求項４にかかる発明は、請求項１、２又は３に記載の避難誘導システムにおいて、交差点に集まる複数の通路に前記発信機を設置する際、該複数の通路のうち、避難方向に沿った通路には該避難方向と反対方向から前記交差点内に届くよう前記電波を送信するように前記発信機を配置し、残りの通路には前記交差点から遠ざかる方向に向けて前記電波を送信するように前記発信機を配置することを特徴とする。
【０００９】
請求項５にかかる発明は、請求項４に記載の避難誘導システムにおいて、前記避難方向に沿った通路が前記交差点を介して前記残りの通路の内の１つの通路と直線状に直通しているときは、前記避難方向に沿った通路に配置した前記発信機の送信する電波が前記直通する通路まで届くようにしたことを特徴とする。
【発明の効果】
【００１０】
請求項１乃至５にかかる発明の避難誘導システムによれば、地震や台風などの災害が発生し、通路に木の枝や瓦礫、窓ガラスの破片などが散乱し視覚障害者が点字ブロックを認識できなかったり、火災による煙や粉塵が舞い避難場所標識が不鮮明であっても、それら障害者を含めた罹災者を正確に避難場所の方向に誘導することができる。よって、屋外での避難誘導はもとより旅館、ホテル、映画館、劇場等の建築構造物内における避難誘導にも効果的である。また、平時は避難場所標識が設置されていない屋外や屋内においても、本発明の避難誘導システムの送信機を簡単に設置することができ、その応急的な避難誘導システムの構築が簡単となる。
【発明を実施するための最良の形態】
【００１１】
本実施例の避難誘導システムでは、誘導媒体として電波を使用する。電波は周波数が高ければ高いほど直進性が強くなるが、障害物を超えては伝わり難い性質を持っている。そこで、災害発生時に、例えば２４ＧＨｚ程度の高周波電波を避難場所のある方向と反対方向（罹災者が向ってくる方向）に向けて送信できるよう送信機を設置する。罹災者にはこの電波を受信できる携帯受信機を持たせる。この携帯受信機には、電波を受信(検知)するとそれを知らせるブザーが内蔵されている。
【００１２】
さらに、携帯受信機には指向性を持たせ、これにより、まっすぐ受信機に向けて送信された電波は受信するが、受信機の横又は後ろから送信されてくる電波については受信し難くなるようにし、電波が送信されてくる方向、つまり避難方向が正確・簡単に確認できるようにする。なお、発信機から送信する電波に所定の変調をかけたりあるいはコード化して、携帯受信機でそれを復調あるいはデコードできるようにすれば、同一周波数の他の電波の影響を排除できる。
【００１３】
したがって、携帯受信機を携帯している罹災者は、その携帯受信機を水平方向に移動させてみれば、避難場所のある方向から送信される電波を受信することができるので、これによって避難方向が確認でき、その方向に進めば避難場所に辿り着くことができる。
【００１４】
また、送信機を小型にしておけば、常時屋外に設置しなくても、地震や台風など災害発生があった時に臨時に設置することが容易となり、また、屋外だけでなく屋内にも設置することができる。さらに、電波は水分を多く含んだ材質の物や金属以外であれば通過するので、屋内に設置する場合には、壁に埋め込み壁紙で隠したりするなど、美観を損ねないで設置することが可能となる。
【実施例】
【００１５】
以下、本実施例の避難誘導システムについて詳しく説明する。図１はその避難誘導システムの概略構成を上面からみた説明図である。送信機１０は指向性を付けるためのホーンアンテナ等の送信口１１を有し、直進性の高い周波数（例えば、２４ＧＨｚ）の電波２０を送信する。携帯受信機３０も指向性を付けるためのホーンアンテナ等の受信口３１を有し、電波２０を受信すると内部のブザー（図示せず）が鳴動して、電波受信を報知する。上記したように、発信機１０から送信する電波に所定の変調をかけたりあるいはコード化し、携帯受信機３０でそれを復調あるいはデコードできるようにして、同一周波数の他の電波の影響を排除できるようにしてもよい。
【００１６】
したがって、図１において、紙面左側の送信機１０から紙面右方向に向かって直進性の強い周波数の電波２０を送信したとき、受信口３１を正面方向に向けた携帯受信機３０Ａと、４５度右方向に向けた携帯受信機３０Ｂと、４５度左方向に向けた携帯受信機３０Ｃとでは、正面方向に向けた携帯受信機３０Ａはその受信口３１の軸線が送信機１０の送信口１１の軸線とほぼ一致するので送信機１０からの電波を受信でき、避難方向を確認することができるが、４５度右方向に向けた携帯受信機３０Ｂや４５度左方向に向けた携帯受信機３０Ｃでは受信できない。
【００１７】
また、送信機１０から送信された電波２０には到達範囲に制約があり、携帯受信機３０の受信口３１を左右方向に向けず、正面に向けた場合であっても、携帯受信機３０がその到達範囲から外れると、電波２０を受信できない。図２はこれを説明するための図であり、避難誘導システムの概略構成を上面からみた説明図であって、電波２０の到達範囲にある携帯受信機３０Ｄは受信できるが、到達範囲外にある携帯受信機３０Ｅ，３０Ｆは受信できない。
【００１８】
本実施例の避難誘導システムの構築においては、直進性の強い周波数の電波２０を送信する送信機１０を、図３に示すような避難誘導標識柱４０等に取り付け、その電波２０を受信する携帯受信機３０は受信口３１を外に向けた構造とし、胸部ペンダントやブローチなどのようにして、図４に示すように、罹災者５０の身体や衣服の正面に付けておく。これにより、携帯受信機３０の受信口３１は罹災者５０の正面を向くことになる。
【００１９】
災害発生時には、送信機１０は直進性の強い周波数の電波２０を送信する。罹災者５０が避難場所を求めて歩いているとき、その電波２０の到達範囲内で送信方向に向けば、携帯受信機３０がその電波２０を受信するので、携帯受信機３０内のブザーが鳴る。したがって、罹災者５０はそのブザーが鳴り続ける方向に進めば、避難場所にたどり着くことができる。
【００２０】
しかし、罹災者５０が送信機１０から送信される電波２０の方向と違う方向に向かって歩いているときは、携帯受信機３０はその電波２０を受信しないので、携帯受信機３０内のブザーは鳴らない。
【００２１】
なお、携帯受信機３０のブザー音は健常者や視覚障害者用として示したものであり、聴覚障害者用や周りの雑踏でブザー音が聞きづらい環境用には、ブザー音ではなくＬＥＤランプなどによる光の点灯／点滅、あるいはアナログメータなどにより、又は携帯受信機３０を振動させることにより、電波２０の受信状況を知らせるようにしても良いし、さらにこれら聴覚、視覚、触覚にる報知手段を組み合わせたものでも良い。
【００２２】
直進性の強い周波数の電波２０は、木の枝や瓦礫、窓ガラスの破片などが散乱している状況や火災による煙や粉塵が舞っている状況においても、それら障害物の影響を受けることなく通過して、携帯受信機３０に到達させることできる。送信機１０は、常時では設置しない場所には、災害発生時に臨時に設置することが望ましく、また屋外と同じように屋内にも設置すれば、屋外同様に避難誘導ができる。特に、通路や廊下が複雑に入りくんでいる旅館等には好適である。
【００２３】
しかし、避難場所までの通路や廊下としては直線に限られず、十字路やＴ字路、その他複雑な形が存在する。このような場合、送信機１０の設置の仕方によっては、正確に避難場所に誘導することができないことになる。以下、このような場合の避難誘導システムの構築について詳しく説明する。
【００２４】
図５(a)、(b)は１本の直線状の通路６０の所定場所の避難誘導標識柱４０に送信機１０を取り付けた場合の説明図である。このときは、避難場所に近い方に送信機１０を設置し、避難場所とは反対方向に向けて送信機１０から直進性の強い周波数の電波２０を送信する。
【００２５】
避難誘導標識柱４０の方向を向いている罹災者５０Ａに対しては、携帯受信機３０が送信機１０の方向を向いているので、その携帯受信機３０が送信機１０からの電波２０を受信してブザーが鳴り、避難方向を知らせることができる。しかし、避難誘導標識柱４０と反対方向を向いている罹災者５０Ｂに対しては、携帯受信機３０が送信機１０の方向を向いていないので、送信機１０からの電波２０を受信できず、その携帯受信機３０内のブザーは鳴らず、避難方向を知らせることはできない。
【００２６】
このような場合、罹災者５０Ｂが避難場所方向を探すには、携帯受信機３０を身体と平行にして、身体をゆっくり水平に３６０度回転させればよい。これにより、携帯受信機３０が送信機１０から送信されている電波２０を受信した時に携帯受信機３０内のブザーが鳴るので、避難方向を確認することができる。
【００２７】
図６は十字路の交差点の所定場所の避難誘導標識柱４０に送信機１０を取り付けた場合の説明図である。このときは、避難場所に近い側の通路６０Ａに、送信機１０Ａを避難場所とは反対の方に向けて電波２０Ａを送信するよう設置する。また、その通路６０Ａと直交する通路６０Ｂ、６０Ｃには、交差点と反対方向に向けて電波２０Ｂ，２０Ｃを送信するよう送信機１０Ｂ，１０Ｃを設置する。通路６０Ａと直通する通路６０Ｄについては、通路６０Ａの発信機１０Ａの出力を調整して、その発信機１０Ａの電波２０Ａでカバーできるようにする。これにより、発信機１０Ａは避難場所への誘導用となり、発信機１０Ｂ，１０Ｃは十字路の交差点への誘導用となる。
【００２８】
いま、通路６０Ｂから十字路の交差点に向かう罹災者５０Ｃは、発信機１０Ｂから送信される電波２０Ｂを携帯受信機３０が受けてそのブザーが鳴るので、これに誘導されてそのまま交差点に進む。発信機１０Ｂの設置場所まで到達すると、電波２０Ｂが途切れ、携帯受信機３０のブザーが鳴らなくなるが、携帯受信機３０の受信口を左右交互に向けながらさらに進んで交差点に入ると、発信機１０Ａから送信される電波２０Ａを受けて携帯受信機３０のブザーが鳴るので、その電波２０Ａに誘導されて避難方向に進むことができる。交差点で電波２０Ａを受信できず、直進してしまったときは、携帯受信機３０の受信口を正面、左右のいずれに向けても受信ができないが、送信機１０Ｃを通過した後は、携帯受信機３０の受信口を進行方向と反対の交差点の方向に向けることで、今度は送信機１０Ｃの送信した電波２０Ｃを受信することになるので、交差点に引き返すことができる。このように十字路の交差点においても、送信機１０を３台設置することで、罹災者を避難場所の方向に正確に誘導することができる。
【００２９】
なお、携帯受信機３０の受信口３１を１つとした場合には、送信される直進性の強い電波を探す(受信)ために、携帯受信機３０の受信口を左右交互に向ける必要があるが、その受信口３１を正面と左右の合計３箇所に取り付け、電波を受信した受信口に応じて携帯受信機３０に内蔵されたブザーの音色を変える、あるいは音声で「正面」、「右側」、「左側」等のように報知できるようにすれば、携帯受信機３０を左右に振ることなく、正確な避難方向を確認することができる。
【００３０】
図７はＴ字路の交差点の通路６０Ｅ，６０Ｆにそれぞれ発信機１０Ｄ，１０Ｅを設置した例を、図８はＴ字路の交差点の通路６０Ｇ，６０Ｈ，６０Ｊにそれぞれ発信機１０Ｆ，１０Ｇ，１０Ｈを設置した例を示す説明図である。避難方向に至る通路６０Ｅに設置する発信機１０Ｄ、避難方向に至る通路６０Ｇに設置する発信機１０Ｆは、それらの電波２０Ｄ，２０Ｆが交差点に届くように調整する。このように、Ｔ字路においても十字路と同様に、特定の１つの通路に正確に避難誘導できるよう、避難誘導システムを構築できる。図７では発信機１０Ｄの電波２０Ｄが避難場所への誘導用となり、発信機１０Ｅの電波２０ＥはＴ字路の交差点への誘導用となる。また、図８では発信機１０Ｆの電波２０Ｆが避難場所への誘導用となり、発信機１０Ｇ，１０Ｈの電波２０Ｇ，２０ＨはＴ字路の交差点への誘導用となる。
【００３１】
図９は複雑な六差路の交差点の通路６０Ｋ，６０Ｌ，６０Ｍ，６０Ｎ，６０Ｐ，６０Ｑにそれぞれ発信機１０Ｊ，１０Ｋ，１０Ｌ，１０Ｍ，１０Ｎ，１０Ｐを設置した例を示す説明図である。この場合も、避難方向に至る通路６０Ｋに設置する発信機１０Ｊはその電波２０Ｊが交差点に届くように調整し、他の通路６０Ｌ，６０Ｍ，６０Ｎ，６０Ｐ，６０Ｑに設置する発信機１０Ｋ，１０Ｌ，１０Ｍ，１０Ｎ，１０Ｐは、それらの電波２０Ｋ，２０Ｌ，２０Ｍ，２０Ｎ，２０Ｐが交差点と反対方向を向くように設置する。発信機１０Ｊは避難場所への誘導用となり、発信機１０Ｋ，１０Ｌ，１０Ｍ，１０Ｎ，１０Ｐは交差点への誘導用となる。
【図面の簡単な説明】
【００３２】
【図１】本実施例の避難誘導システムの概略構成の上面図である。
【図２】本実施例の避難誘導システムの概略構成の上面図である。
【図３】本実施例の発信機の避難誘導標識柱への取り付けの説明図である。
【図４】携帯受信機の罹災者への携帯模様を示す説明図である。
【図５】(a)は避難誘導の様子を上面からみた上面図、(b)は側面からみた側面図である。
【図６】十字路に設置した避難誘導システムの説明図である。
【図７】Ｔ路時に設置した避難誘導システムの説明図である。
【図８】Ｔ路時に設置した別例の避難誘導システムの説明図である。
【図９】六差路に設置した避難誘導システムの説明図である。
【符号の説明】
【００３３】
１０，１０Ａ〜１０Ｐ：送信機、１１：送信口
２０，２０Ａ〜２０Ｐ：電波
３０，３０Ａ〜３０Ｆ：携帯受信機、３１：受信口
４０：避難誘導標識柱
５０，５０Ａ〜５０Ｆ：罹災者
６０，６０Ａ〜６０Ｑ：通路
【図１】
2007041879.tif 000003
【図２】
2007041879.tif 000004
【図３】
2007041879.tif 000005
【図４】
2007041879.tif 000006
【図５】
2007041879.tif 000007
【図６】
2007041879.tif 000008
【図７】
2007041879.tif 000009
【図８】
2007041879.tif 000010
【図９】
2007041879.tif 000011